(57)【要約】【課題】摺動体の回転方向のガタを防止して、釣糸の巻取り操作を円滑に行なうことができるとともに、滑らかなドラグ作用を得ることができる魚釣用スピニングリールの提供を目的としている。【解決手段】本発明の魚釣用スピニングリールの往復動機構は、スプール軸９の後端部に取り付けられ且つハンドル５の回転に伴ってリール本体１ａの第１および第２の案内部６８，３９に沿って前後に往復動する摺動体６７と、摺動体６７に回転自在に支持され、ロータ８の釣糸巻取り回転方向でリール本体１ａの第１の案内部６８に当接することにより、リール本体１ａに対する摺動体６７の前後往復動を案内する軸受３３と、摺動体６７とリール本体１ａの第２の案内部３９との間に接触可能状態に介在され、スプール軸９を中心とする摺動体６７の回転方向のガタを吸収する弾性体３４とを具備している。【選択図】　　図６
2004135607.tif 000002
【特許請求の範囲】
【請求項１】
ハンドルの回転を、リール本体内に設けられた往復動機構を介して、先端にスプールを有するスプール軸の前後往復動に変換するとともに、ハンドルの回転に伴うロータの釣糸巻取り方向の回転によって前記スプールに釣糸を巻き取る魚釣用スピニングリールにおいて、
前記往復動機構は、
前記スプール軸の後端部に取り付けられ且つ前記ハンドルの回転に伴ってリール本体の第１および第２の案内部に沿って前後に往復動する摺動体と、
前記摺動体に回転自在に支持され、前記ロータの釣糸巻取り回転方向でリール本体の前記第１の案内部に当接することにより、リール本体に対する前記摺動体の前後往復動を案内する軸受と、
前記摺動体とリール本体の前記第２の案内部との間に接触可能状態に介在され、前記スプール軸を中心とする前記摺動体の回転方向のガタを吸収する弾性体と、
を具備することを特徴とする魚釣用スピニングリール。
【請求項２】
前記弾性体は、リール本体と常時接触して、前記軸受に予圧を付与することを特徴とする請求項１に記載の魚釣用スピニングリール。
【発明の詳細な説明】
【０００１】
【発明の属する技術分野】
本発明は、リール本体に装着されたハンドルの回転操作運動をスプールの前後往復動に変換するスプール往復動装置がリール本体内に設けられた魚釣用スピニングリールの改良に関する。
【０００２】
【従来の技術】
一般に、魚釣用スピニングリールは、リール本体と、リール本体から延出する脚部と、脚部の端部に形成されて釣竿に取り付けられる竿取付部とを有している。前記リール本体内には、ハンドルが固定されるハンドル軸が回転可能に支持されている。また、ハンドル軸にはドライブギアが固定されており、このドライブギアには、ハンドル軸に対して直交する方向に延び且つリール本体に回転可能に支持された管状のピニオンギアが噛合している。また、ピニオンギアの先端部にはロータが一体的に取り付けられ、ハンドル軸と直交する方向に延在するスプール軸がピニオンギアを貫通している。また、スプール軸の先端部には釣糸が巻回されるスプールが取り付けられている。スプール軸は、ピニオンギアと同心的に配されており、ハンドルからの回転力をスプール軸の前後動に変換するスプール往復動機構（オシレーティング機構）を介して、ハンドル軸と直交する方向に沿って前後動できる。
【０００３】
前記オシレーティング機構は、一般に、ハンドル軸（ドライブギア）の回転に伴ってリール本体内で前後方向に往復動する摺動体を備えており、スプール軸が前記摺動体と一体に結合されることにより、摺動体と共にスプール軸が前後に往復動し、スプール軸と共に前後動するスプールに釣糸が片寄ること無く均等に巻回される。
【０００４】
実際に、摺動体およびスプール軸を前後動させながら釣糸をスプールに巻き上げる場合には、魚の引きや仕掛けの重量等によって釣糸に負荷が加わった状態となっているため、スプールは、この負荷が作用する方向すなわちロータの釣糸巻取り回転方向で力を受ける。また、釣糸によってスプールに加わるこの回転方向の力は、スプール軸を介して摺動体にも作用する。そのため、リール本体の案内部に沿って前後動する摺動体は、前記回転方向の力によって前記案内部に押し付けられた状態（摺接状態）で前後動することとなり、摩耗したり変形したりする場合がある。また、このような摺接抵抗の発生により、オシレート機能が低下し、スムーズな巻き上げ性が得られないといった問題も生じる。
【０００５】
そこで、リール本体の案内部と摺動体との間に転がり軸受を介在させ、摺動体に作用する前記回転方向の力を前記転がり軸受で受けつつ、この転がり軸受によって摺動体をリール本体に対して円滑に前後動させるようにする技術が従来から提案されている（例えば、特許文献１参照）。
【０００６】
しかしながら、転がり軸受を円滑に転がす（摺動体を円滑に前後動案内する）ためには、転がり軸受とリール本体との間に適正なクリアランスが必要となるため、このクリアランスによって摺動体が回転方向でガタ付くこととなる。また、このようなガタ付きは、部品の寸法誤差や組み込み誤差等によって更に大きくなる可能性があるとともに、巻取り回転操作時に異音を発生させる。
【０００７】
そのため、前記転がり軸受とリール本体の案内部との間に弾性体を介在させることにより、摺動体の回転方向のガタを吸収する技術が提案されている（例えば、特許文献２参照）。
【０００８】
【特許文献１】
特開平７−２０３８１４号公報
【０００９】
【特許文献２】
特開２０００−２４５３１３号公報
【００１０】
【発明が解決しようとする課題】
しかしながら、前記転がり軸受とリール本体の案内部との間に弾性体を介在させると、摺動体に作用する前記回転方向の力（釣糸巻取り時に釣糸によってスプールに加わる力）によって弾性体が変形し、その変形に転がり軸受が追従してしまうため、剛性感がなく、軽快で円滑な巻取り操作性が得られなくなってしまう。
【００１１】
また、摺動体に作用する前記回転方向の力によって弾性体が変形してしまうと、その回転方向に摺動体が動いてしまうため、スムーズにドラグが滑り出せず（スムーズにスプールが回転せず）、更に、弾性体がその弾性復元力によって元の形状に戻ることにより脈動が生じてしまい、結果的に、良好なドラグ作用が得られなくなる。
【００１２】
本発明は前記事情に着目してなされたものであり、その目的とするところは、摺動体の回転方向のガタを防止して、釣糸の巻取り操作を円滑に行なうことができるとともに、滑らかなドラグ作用を得ることができる魚釣用スピニングリールを提供することにある。
【００１３】
【課題を解決するための手段】
前記課題を解決するために、本発明は、ハンドルの回転を、リール本体内に設けられた往復動機構を介して、先端にスプールを有するスプール軸の前後往復動に変換するとともに、ハンドルの回転に伴うロータの釣糸巻取り方向の回転によって前記スプールに釣糸を巻き取る魚釣用スピニングリールにおいて、前記往復動機構は、前記スプール軸の後端部に取り付けられ且つ前記ハンドルの回転に伴ってリール本体の第１および第２の案内部に沿って前後に往復動する摺動体と、前記摺動体に回転自在に支持され、前記ロータの釣糸巻取り回転方向でリール本体の前記第１の案内部に当接することにより、リール本体に対する前記摺動体の前後往復動を案内する軸受と、前記摺動体とリール本体の前記第２の案内部との間に接触可能状態に介在され、前記スプール軸を中心とする前記摺動体の回転方向のガタを吸収する弾性体とを具備することを特徴とする。
【００１４】
【発明の実施の形態】
以下、図面を参照しつつ本発明の一実施形態について説明する。
【００１５】
図１〜図７は本発明の第１の実施形態を示している。これらの図に示されるように、本実施形態の魚釣用スピニングリール１は、リール本体１ａと、リール本体１ａから延出する脚部１ｂと、脚部１ｂの端部に形成され且つ釣竿に取り付けられる竿取付部１ｃを有している。リール本体１ａ内には、スプールに釣糸を巻回するための巻取駆動機構が設けられている。具体的には、ハンドル５が固定されるハンドル軸２がリール本体１ａ内に回転可能に支持されている。ハンドル軸２にはドライブギア３が固定されており、このドライブギア３にはピニオンギア１３が噛合している。
【００１６】
ピニオンギア１３は、ハンドル軸２に対して直交する方向に延び且つリール本体１ａに軸受６０Ａ，６０Ｂを介して回転可能に支持された軸筒６２に設けられている。また、軸筒６２の先端部には、ベール６および釣糸案内部１５を備えたロータ８が一体的に取り付けられている。
【００１７】
ハンドル軸２と直交する方向に延在するスプール軸９が軸筒６２を貫通している。この場合、スプール軸９は、軸筒６２と同心的に配されており、ハンドル軸２と直交する方向に沿って前後動できる。また、スプール軸９の先端部には釣糸が巻回されるスプール１０が取り付けられている。
【００１８】
また、ハンドル軸２には、オシレーティング機構（往復動機構）６５の連動歯車６６と噛合する歯車６３が形成されている。オシレーティング機構６５は、いわゆるギヤ方式のものであり、歯車６３に噛み合ってこれと連動回転する連動歯車６６と、連動歯車６６に突設され且つ連動歯車６６の回転中心軸から偏心して位置する係合突起（係合部）６６ａと、スプール軸９の後端部にビス６９を介して取り付けられ且つ係合突起６６ａと係合するカム溝６７ａを有する摺動体６７と、リール本体１ａに形成され且つ摺動体６７の往復動を案内する第１の案内部６８とを備えている。
【００１９】
このようなオシレーティング機構６５は、ハンドル軸２がハンドル５の回転操作によって回転されると、ハンドル軸２上の歯車６３と噛み合う連動歯車６６が回転し、それに伴って、連動歯車６６の係合突起６６ａが回転するとともに、係合突起６６ａと係合するカム溝６７ａの案内によって摺動体６７が前後に往復動する。したがって、摺動体６７に取り付けられたスプール軸９が軸方向に沿って往復駆動（前後動）する（図６には、摺動体６７が前方に移動した状態が示されており、図７には、摺動体６７が後方に移動した状態が示されている）。すなわち、この場合、係合突起６６ａとカム溝６７ａは、ハンドル軸２の回転運動をスプール軸９の直線往復運動に変換する変換手段を構成している。
【００２０】
以上の構成によれば、ハンドル５を釣糸巻取り方向に回転操作してハンドル軸２を回転させると、オシレーティング機構６５を介してスプール軸９に取り付けられたスプール１０が前後に往復動するとともに、ドライブギア３、ピニオンギア１３、軸筒６２を介してロータ８が釣糸巻取り方向（スプール１０側からリールを見て時計周り方向、後側（図２の方向）からリールを見て反時計周り方向）に回転駆動する。したがって、スプール１０には、釣糸案内部１５を介して、釣糸が均等に巻回される。
【００２１】
なお、本実施形態において、リール本体１ａの後端壁部１ａ’の後端面には、所定の位置に、開口２２が形成されている。この開口２２は、オシレーティング機構６５の摺動体６７がその往復動における最後端位置に位置した際（その状態が図５に示されている）に、摺動体６７の後側の一部をその内側に受け入れるように、その位置および形状が設定されている。また、本実施形態では、開口２２を塞ぐための有底皿状のカバー部材２０が、リール本体１ａの後端壁部１ａ’の後側から被せられている。また、リール本体１ａの後端壁部１ａ’には、図１に示されるように、ロータ８の逆回転（釣糸繰り出し方向の回転）を防止する逆転防止機構の切換ロッド３０の端部が貫通しており、後端壁部１ａ’から外部に突出する切換ロッド３０の端部には、切換レバー３２が取り付けられている。
【００２２】
図２および図３に示されるように、リール本体１ａの側部には、リール本体１ａの一部を成すボディーカバー３７が取り付けられている。このボディーカバー３７のうち、ロータ８の釣糸巻取り回転方向でリール本体１ａの第１の案内部６８と対向する面は、第１の案内部６８と共に摺動体６７の往復動を案内する第２の案内部３９として形成されている。
【００２３】
また、図４〜図７に拡大して示されるように、摺動体６７には、その底部の前後に、一対の軸部６７ｂ，６７ｃが突設されている。前方（スプール１０側）に位置する第１の軸部６７ｂは、摺動体６７の軸方向（前後方向）に延びる中心軸に対し、リール本体１ａに形成された第１の案内部６８側（魚の引きや仕掛けの重量等によって釣糸に負荷が加わるロータ８の釣糸巻取り回転方向側・・・高負荷側）に偏って位置している。また、後方（カバー部材２０側）に位置する第２の軸部６７ｃは、摺動体６７の軸方向（前後方向）に延びる中心軸に対し、ボディーカバー３７に形成された第２の案内部３９側に偏って位置している。そして、第１の軸部６７ｂには転がり軸受（ボールベアリング）３３が回転可能に支持され、また、第２の軸部６７ｃにはＯリング等から成る弾性体３４が装着されている。すなわち、転がり軸受３３は、ロータ８の釣糸巻取り回転方向（高負荷側）で第１の案内部６８と対向しており、弾性体３４は、第２の案内部３９と接触可能状態で対向している。
【００２４】
この場合、転がり軸受３３は、釣糸巻取り時に釣糸によってスプール１０に加わる回転方向の力をスプール軸９および摺動体６７を介して受けることにより、リール本体１ａの第１の案内部６８に当接しながら摺動体６７をリール本体１ａに対して前後方向に円滑に転がり案内する。また、弾性体３４は、ボディーカバー３７の第２の案内部３９と接触することによる変形作用により、スプール軸９を中心とした摺動体６７の回転方向のガタ（各部品の寸法不良や組み込み誤差等）を吸収することができ、転がり軸受３３の軽快な転がり案内作用を助長する。特に、本実施形態において、弾性体３４は、第２の案内部３９に常時接触して、転がり軸受３３に予圧を付与しており（転がり軸受３３を付勢してリール本体１ａの第１の案内部６８に常時当接させており）、これにより、確実に摺動体６７の回転方向のガタの発生を防止している。
【００２５】
以上説明したように、本実施形態の魚釣用スピニングリール１のオシレーティング機構６５は、摺動体６７に回転自在に支持され且つロータ８の釣糸巻取り回転方向でリール本体１ａの第１の案内部６８に当接することによりリール本体１ａに対する摺動体６７の前後往復動を案内する軸受３３を備えている。したがって、釣糸巻取り操作時に釣糸によってスプール１０に加わる回転方向の力がスプール軸９を介して摺動体６７に作用しても、この回転方向の力が軸受３３で受けられつつ、軸受３３によって摺動体６７がリール本体１ａに対して円滑に前後動されるため、摺動体６７がリール本体１ａに摺接して摩耗したり変形したりすることを防止でき、また、摺接抵抗の発生によってオシレート機能が低下してスムーズな巻き上げ性が得られないといった問題も生じなくなる。
【００２６】
また、本実施形態の魚釣用スピニングリール１は、摺動体６７とリール本体１ａの第２の案内部３９との間に介在され且つ第２の案内部３９に当接することによりスプール軸９を中心とする摺動体６７の回転方向のガタを吸収する弾性体３４を備えている。したがって、軸受３３とリール本体１ａとの間のクリアランスや、部品の寸法誤差、組み込み誤差等によって生じる摺動体６７の回転方向のガタ付きを弾性体３４によって可及的に吸収できるとともに、釣糸巻取り操作時の異音発生等の不具合も防止でき、円滑な巻取り操作が行なえる。
【００２７】
また、従来のように軸受３３とリール本体１ａとの間に弾性体３４を介在させる（釣糸巻取り回転方向で弾性体３４をリール本体１ａに当接させる）のではなく、摺動体６７とリール本体１ａの第２の案内部３９との間にこれらに接触可能に弾性体３４を介在させている（釣糸繰り出し回転方向で弾性体３４を第２の案内部３９に当接させている）ため、スプール軸９を介して摺動体６７に作用する前記回転方向の力（釣糸巻取り操作時に釣糸によってスプール１０に加わる回転方向の力）によって弾性体３４が変形することはなく、また、弾性体３４の変形に軸受３３が追従してしまうこともなくなる。したがって、剛性感がある軽快で円滑な巻取り操作性を得ることができるとともに、スムーズにドラグを滑り出させることができ、更に、弾性体がその弾性復元力によって元の形状に戻ることによって脈動が生じることもなくなる。
【００２８】
また、本実施形態において、弾性体３４は、リール本体１ａと常時接触して、軸受３３に予圧を付与するようになっている。したがって、前述した作用効果を更に促進させることができる。すなわち、ガタ発生の防止を図りながら、摺動体６７の前後往復動を確実且つ円滑に案内でき、高い剛性感が得られる（安定した前後動案内が得られる）。
【００２９】
図８〜図１１は本発明の第２の実施形態を示している。なお、本実施形態において、第１の実施形態と共通する構成部分については、以下、同一符号を付してその説明を省略する。
【００３０】
図８〜図１１に示されるように、本実施形態の魚釣用スピニングリール１Ａのオシレーティング機構６５Ａでは、転がり軸受３３と弾性体３４とがスプール軸９を堺に上下に振り分け配置されている。具体的には、摺動体６７Ａの往復動を案内する第１の案内部４２と第２の案内部４１とが上下に位置してリール本体１ａに突設されており、第２の案内部４１に向かって上方に延びる摺動体６７Ａの上側延在部６７Ａａには、軸部４３を介して、Ｏリング等から成る弾性体３４が装着され、また、第１の案内部４２に向かって下方に延びる摺動体６７Ａの下側延在部６７Ａｂには、軸部４４を介して、転がり軸受（ボールベアリング）３３が回転可能に支持されている。
【００３１】
転がり軸受３３は、ロータ８の釣糸巻取り回転方向（魚の引きや仕掛けの重量等によって釣糸に負荷が加わるロータ８の釣糸巻取り回転方向・・・高負荷側）で第１の案内部４２と対向しており、釣糸巻取り時に釣糸によってスプール１０に加わる回転方向の力をスプール軸９および摺動体６７Ａを介して受けることにより、リール本体１ａの第１の案内部４２に当接しながら摺動体６７Ａをリール本体１ａに対して前後方向に円滑に転がり案内する。
【００３２】
また、弾性体３４は、第２の案内部４１と接触可能状態で対向しており、リール本体１ａの第２の案内部４１と接触することにより、スプール軸９を中心とした摺動体６７Ａの回転方向のガタを吸収することができる。特に、本実施形態において、弾性体３４は、第２の案内部４１に常時接触して、転がり軸受３３に予圧を付与する（転がり軸受３３を付勢してリール本体１ａの第１の案内部３３に常時当接させる）ことが望ましい。
【００３３】
以上説明したように、本実施形態の魚釣用スピニングリール１Ａのオシレーティング機構６５Ａは、摺動体６７Ａに回転自在に支持され且つロータ８の釣糸巻取り回転方向でリール本体１ａの第１の案内部４２に当接することによりリール本体１ａに対する摺動体６７Ａの前後往復動を案内する軸受３３と、摺動体６７Ａとリール本体１ａの第２の案内部４１との間に介在され且つ第２の案内部４１と当接することによりスプール軸９を中心とする摺動体６７Ａの回転方向のガタを吸収する弾性体３４とを備えている。したがって、第１の実施形態と同様の作用効果を得ることができる。
【００３４】
図１２は第２の実施形態の変形例を示している。この変形例では、ゴム材等から成る弾性体４７が第２の案内部４１に装着されており、軸部４３を介して摺動体６７Ａの上側延在部６７Ａａに回転自在に装着された金属体４６が弾性体４７と接触している。この場合、弾性体４７は、摺動体６７Ａの前後往復動のストロークにわたって延在している。なお、それ以外の構成は第２の実施形態と同一であり、第２の実施形態と同一の符号を付してその説明を省略する。
【００３５】
このように、摺動体６７Ａ側に弾性体を設けるのではなく、第２の案内部４１側に弾性体を設けても、第１および第２の実施形態と同様の作用効果を得ることができる。
【００３６】
図１３〜図１６は本発明の第３の実施形態を示している。なお、本実施形態において、第１の実施形態と共通する構成部分については、以下、同一符号を付してその説明を省略する。
【００３７】
図１３〜図１６に示されるように、本実施形態の魚釣用スピニングリール１Ｂのオシレーティング機構６５Ｂは、スプール軸９と平行に配置され且つ軸受部を介してリール本体１ａに回転可能に支持されたトラバースカム軸（ウォームシャフト）５２と、スプール軸９の後端に止めネジ９０によって固定され且つトラバースカム軸５２のカム溝５９に沿って前後方向に摺動する摺動体５４とを備えている。トラバースカム軸５２は、ギヤ５６を介してピニオン１３に連結されており、一方、摺動体５４には、トラバースカム軸５２に常時係合する係合ピン５８が設けられている。
【００３８】
このようなオシレーティング機構６５Ｂによれば、ハンドル５の回転操作によって駆動歯車３を介してピニオン１３を回転させると、このピニオン１３に噛合したギヤ５６が回転し、このギヤ５６の回転と共にトラバースカム軸５２が回転する。この時、トラバースカム軸５２のカム溝５９に係合した係合ピン５８がトラバースカム軸５２の回転に伴って前後動することにより、摺動体５４がトラバースカム軸５２に沿って前後動する。この結果、この摺動体５４に止めネジ９０を介して連結しているスプール軸９を前後動させることができる。
【００３９】
摺動体５４には、その底部の左右に、一対の軸部５４ａ，５４ｂが突設されている。第１の軸部５４ｂは、摺動体５４の軸方向（前後方向）に延びる中心軸に対し、リール本体１ａに形成された第１の案内部６８側（魚の引きや仕掛けの重量等によって釣糸に負荷が加わるロータ８の釣糸巻取り回転方向側・・・高負荷側）に偏って位置している。また、第２の軸部５４ａは、摺動体５４の軸方向（前後方向）に延びる中心軸に対し、ボディーカバー３７に形成された第２の案内部３９側に偏って位置している。そして、第１の軸部５４ｂには転がり軸受（ボールベアリング）３３が回転可能に支持され、また、第２の軸部５４ａにはＯリング等から成る弾性体３４が装着されている。すなわち、転がり軸受３３は、ロータ８の釣糸巻取り回転方向（高負荷側）で第１の案内部６８と対向しており、弾性体３４は、第２の案内部３９と接触可能状態で対向している。そして、転がり軸受３３は、釣糸巻取り時に釣糸によってスプール１０に加わる回転方向の力をスプール軸９および摺動体５４を介して受けることにより、リール本体１ａの第１の案内部６８に当接しながら摺動体５４をリール本体１ａに対して前後方向に円滑に転がり案内する。また、弾性体３４は、ボディーカバー３７の第２の案内部３９と接触することにより、スプール軸９を中心とした摺動体５４の回転方向のガタを吸収することができる。特に、本実施形態において、弾性体３４は、第２の案内部３９に常時接触して、転がり軸受３３に予圧を付与している（転がり軸受３３を付勢してリール本体１ａの第１の案内部６８に常時当接させている）。
【００４０】
このように、本実施形態は、ウォームシャフト方式のオシレーティング機構において、第１の実施形態と同様の構成を成しているため、第１の実施形態と同様の作用効果を得ることができる。
【００４１】
図１７および図１８は第３の実施形態の変形例を示している。この変形例では、第３の実施形態の第１および第２の案内部６８，３９の代わりに、摺動体５４の２つの軸部５４ａ，５４ｂ間で前後方向に延びるピラー７０を設け、このピラー７０に対して転がり軸受３３および弾性体３４を当て付けるようにしたものである。この場合、第３の実施形態と同様の作用効果を得るため、第２の軸部５４ａに転がり軸受３３を回転自在に支持するとともに、第１の軸部５４ｂに弾性体３４を装着する。特に、本実施形態では、第１の軸部５４ｂに転がり軸受３３を装着し、この転がり軸受３３の外周に弾性体３４を装着している。なお、それ以外の構成は第３の実施形態と同一であり、第３の実施形態と同一の符号を付してその説明を省略する。
【００４２】
このように、リール本体１ａによって案内部を形成するのではなく、リール本体１ａと別個の部材によって案内部を形成しても、第１ないし第３の実施形態と同様の作用効果を得ることができる。
【００４３】
【発明の効果】
以上説明したように、本発明の魚釣用スピニングリールによれば、摺動体の回転方向のガタを防止して、釣糸の巻取り操作を円滑に行なうことができるとともに、滑らかなドラグ作用を得ることができる。
【図面の簡単な説明】
【図１】本発明の第１の実施形態に係る魚釣用スピニングリールの側断面図である。
【図２】図１のＡ−Ａ線に沿う断面図である。
【図３】図１のＢ−Ｂ線に沿う断面図である。
【図４】図１の要部拡大断面図であり、摺動体がその往復動における最前端位置に位置した状態を示す図である。
【図５】図１の要部拡大断面図であり、摺動体がその往復動における最後端位置に位置した状態を示す図である。
【図６】図２の要部拡大図である。
【図７】図３の要部拡大図である。
【図８】本発明の第２の実施形態に係る魚釣用スピニングリールの側断面図である。
【図９】図８の要部拡大断面図であり、摺動体がその往復動における最後端位置に位置した状態を示す図である。
【図１０】図８の要部拡大断面図であり、摺動体がその往復動における最前端位置に位置した状態を示す図である。
【図１１】図８のＣ−Ｃ線に沿う断面図である。
【図１２】第２の実施形態の変形例に係る魚釣用スピニングリールの図１１に対応する図である。
【図１３】本発明の第３の実施形態に係る魚釣用スピニングリールの側断面図である。
【図１４】図１３のＤ−Ｄ線に沿う断面図である。
【図１５】図１３の要部拡大断面図である、摺動体がその往復動における最後端位置に位置した状態を示す図である。
【図１６】図１４の要部拡大断面図である。
【図１７】第３の実施形態の変形例に係る魚釣用スピニングリールの図１５に対応する図である。
【図１８】図１７の魚釣用スピニングリールの図１６に対応する図である。
【符号の説明】
１，１Ａ，１Ｂ…魚釣用スピニングリール
１ａ…リール本体
５…ハンドル
８…ロータ
９…スプール軸
１０…スプール
３３…軸受
３４…弾性体
３９…第２の案内部
５４，６７…摺動体
６５，６５Ａ，６５Ｂ…オシレーティング機構（往復動機構）
６８…第１の案内部
【図１】
2004135607.tif 000003
【図２】
2004135607.tif 000004
【図３】
2004135607.tif 000005
【図４】
2004135607.tif 000006
【図５】
2004135607.tif 000007
【図６】
2004135607.tif 000008
【図７】
2004135607.tif 000009
【図８】
2004135607.tif 000010
【図９】
2004135607.tif 000011
【図１０】
2004135607.tif 000012
【図１１】
2004135607.tif 000013
【図１２】
2004135607.tif 000014
【図１３】
2004135607.tif 000015
【図１４】
2004135607.tif 000016
【図１５】
2004135607.tif 000017
【図１６】
2004135607.tif 000018
【図１７】
2004135607.tif 000019
【図１８】
2004135607.tif 000020